(57)【要約】  ポリシー管理装置はＵＥが通信を行う個別フローに対してアクセスシステムを切り替えることを要求するモバイルオペレータポリシーの更新を送付する。加えて、切り替え先のアクセスシステムに接続して通信を行うために用いるネットワークインターフェースの有効化を要求する。ＵＥは受信したモバイルオペレータポリシーの更新と予め保持するＵＥポリシーとを比較していずれを優先するか決定し、モバイルオペレータポリシーを優先することを決定した場合には、アクセスシステムを切り替えて通信をオフロードする。
2014112638.tif 000002
【特許請求の範囲】
【請求項１】
ＰＧＷ（Packet Data Network Gateway）と、前記ＰＧＷと第１アクセスシステムを利用した通信路及び第２アクセスシステムを利用した通信路を確立し、第１アクセスシステムを利用した通信路で通信を行う第１のネットワークインターフェースと、第２アクセスシステムを利用した通信路で通信を行う第１のネットワークインターフェースとは異なる第２のネットワークインターフェースとを備えて複数のフローの通信を行うＵＥ（User Equipment）と、前記ＵＥに対してモバイルオペレータポリシーの更新を通知するポリシー管理装置とを含む移動通信システムにおいて、
ＵＥは、フロー毎にアクセスシステムを選択するために、フロー識別情報と、アクセスシステム識別情報とを対応づけたＵＥポリシーを有し、前記ＵＥポリシーに基づいて第1アクセスシステムを利用した通信路を用いてフローの通信を行っており、
ポリシー管理装置は、
ＵＥが通信を行うフロー識別情報と、アクセスシステム識別情報とを対応づけたモバイルオペレータポリシーの更新手段と、
前記モバイルオペレータポリシーの更新と、ネットワークインターフェースを有効化する要求とをＵＥに送信するポリシー送信手段を有し、
ＵＥは、
前記モバイルオペレータポリシーの更新と、前記ネットワークインターフェースを有効化する要求とを受信するポリシー受信手段と、
ＵＥポリシーにおける前記フロー識別情報で識別されるフローに対するアクセスシステム情報と、モバイルオペレータポリシーの更新における前記フロー識別情報で識別されるフローに対するアクセスシステム情報とが異なることを検出する判定手段と、
前記判定手段にもとづき、異なると判定した場合には、
前記ネットワークインターフェースを有効化する要求に基づいてネットワークインターフェースを有効化し、第２アクセスシステムを利用した通信路を確立する通信路確立手段と、
前記フロー識別情報で識別されるフローの通信を、第２アクセスシステムを利用した通信路に切り替える通信路切り替え手段とを有する移動通信システム。
【請求項２】
ＰＧＷ（Packet Data Network Gateway）と、前記ＰＧＷと第１アクセスシステムを利用した通信路及び第２アクセスシステムを利用した通信路を確立し、第１アクセスシステムを利用した通信路で通信を行う第１のネットワークインターフェースと、第２アクセスシステムを利用した通信路で通信を行う第１のネットワークインターフェースとは異なる第２のネットワークインターフェースとを備えて複数のフローの通信を行うＵＥ（User Equipment）と、前記ＵＥに対してモバイルオペレータポリシーの更新を通知するポリシー管理装置とを含む移動通信システムにおけるＵＥにおいて、
フロー毎にアクセスシステムを選択するために、フロー識別情報と、アクセスシステム識別情報とを対応づけたＵＥポリシーを有し、前記ＵＥポリシーに基づいて第1アクセスシステムを利用した通信路を用いてフローの通信を行う通信手段と、
フロー識別情報と、アクセスシステム識別情報とを含んだモバイルオペレータポリシーの更新と、ネットワークインターフェースを有効化する要求とを受信するポリシー受信手段と、
ＵＥポリシーにおける前記フロー識別情報で識別されるフローに対するアクセスシステム情報と、モバイルオペレータポリシーの更新における前記フロー識別情報で識別されるフローに対するアクセスシステム情報とが異なることを検出する判定手段と、
前記判定手段にもとづき、異なると判定した場合には、
前記ネットワークインターフェースを有効化する要求に基づいてネットワークインターフェースを有効化し、第２アクセスシステムを利用した通信路を確立する通信路確立手段と、
前記フロー識別情報で識別されるフローの通信を、第２アクセスシステムを利用した通信路に切り替える通信路切り替え手段とを有するＵＥ。
【請求項３】
ＡＰＮ識別子を用いて第1アクセスシステムを利用した通信路確立を確立しており、
前記ネットワークインターフェースを有効化する要求に基づいてネットワークインターフェースを有効化し、第２アクセスシステムを利用した通信路を確立する際、前記ＡＰＮ識別子を含めて前記フロー識別情報で識別されるフローの通信を、第２アクセスシステムを利用した通信路に切り替える要求をＰＧＷに送信する通信路切り替えを要求し、
第1アクセスシステムを利用した通信路確立を確立した際に取得するＩＰアドレスを継続して使用することを要求する請求項１に記載のＵＥ。
【請求項４】
ＡＰＮ識別子を用いて第1アクセスシステムを利用した通信路確立を確立しており、前記ネットワークインターフェースを有効化する要求に基づいてネットワークインターフェースを有効化し、第２アクセスシステムを利用した通信路を確立する際、前記ＡＰＮ識別子とは異なるＡＰＮ識別子を含めて前記フロー識別情報で識別されるフローの通信を、第２アクセスシステムを利用した通信路に切り替える要求を行い、
第1アクセスシステムを利用した通信路を確立した際に取得するＩＰアドレスとは異なるＩＰアドレスに切り替えて通信を行うこと要求する請求項１に記載のＵＥ。
【請求項５】
フロー識別情報と、アクセスシステム識別情報とＡＰＮ識別子とを含んだモバイルオペレータポリシーの更新と、ネットワークインターフェースを有効化する要求とを受信し、
前記ＡＰＮ識別子を用いて第二アクセスシステムを利用した通信路確立を要求する請求項２又は３に記載のＵＥ。
【発明の詳細な説明】
【技術分野】
【０００１】
本発明は、ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するポリシー管理装置とを含む移動通信システム等に関する。
本願は、２０１３年１月２１日に、日本に出願された特願２０１３−８１８３号に基づき優先権を主張し、その内容をここに援用する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳに接続されるアクセスシステムとしてＬＴＥ（Long Term Evolution）だけでなく、無線ＬＡＮ（Wireless LAN、WLAN)やＷｉＭＡＸ（Worldwide Interoperability for Microwave Access）について検討がなされている。【０００３】
さらに、３ＧＰＰでは、昨今のスマートフォンによるインターネットへのアクセスによるトラフィックの急増について検討しており、ＬＴＥだけではトラフィックを処理しきれなくなることを想定しており、状況に応じてＬＴＥから無線ＬＡＮ、ＷｉＭＡＸといった他のアクセスシステムへの切り替えることによりトラヒックをオフロードし、ＬＴＥへのトラフィックの集中を回避することを検討している。【０００４】
非特許文献１では、複数のアクセスシステムを利用してトラフィックの集中を避ける技術として、ＩＦＯＭ（IP Flow Mobility）について検討され、仕様化された。ＩＦＯＭでは、フロー単位でアクセスシステムを振り分けることにより、トラフィックの分散を行うことができる技術である。ここで、フローとは、共通の特性をもつ通信データの集合であり、通信データの特性は、例えば送信元ＩＰアドレス、送信先ＩＰアドレス、送信元ポート番号、送信先ＩＰアドレス、プロトコル番号（これら５つのパラメータでＩＰ５と呼ぶ）等で識別可能である。【０００５】
また、非特許文献２では、移動通信端末であるＵＥ（User Equipment）がアクセスシステムへの切り替え手続きにおいて、ＡＮＤＳＦ（Access Network Discovery and Selection Function）を利用する方法について記載されている。ＡＮＤＳＦとは、ＵＥが通信中もしくは通信を行う一又は複数のフローに対して、フロー毎にアクセスシステムを選択し、モバイルオペレータ（Mobile Operator：ＭＯ）のポリシーとしてＵＥへ通知する機能を有するポリシー管理装置である。【０００６】
ＵＥはＵＥが通信中もしくは通信を行う一又は複数のフローに対して、フロー毎に利用するアクセスシステムを対応づけたポリシーを保持している。ＡＮＤＳＦからＭＯポリシーの更新としてアクセスシステムを通知されたＵＥは、ＭＯポリシーの更新に含められたアクセスシステムを適用するかどうかを決定し、ＭＯポリシーを適用する場合には、ＵＥポリシーに反映し、その後ＵＥのポリシーに基づいてフローの送受信に利用するアクセスシステムを切り替える。【０００７】
ここで、ＵＥポリシーは、複数のアクセスシステムに接続可能な状態であるか、課金状況に応じてユーザが設定したものである。例えば、ＬＴＥによるアクセスネットワークを経由した通信路を利用するより、ＷＬＡＮによるアクセスネットワークを経由した通信路を利用した方が料金が安い場合には、ＷＬＡＮによるアクセスネットワークを経由した通信路を優先して使用する等の、ＵＥの通信路選択に関わるポリシーである。【０００８】
したがって、ＵＥはＡＮＤＳＦから通知されたＭＯポリシーの更新に必ずしも従う必要はなく、ＭＯポリシーの更新を適用しない場合には、ＵＥポリシーに変更を加える必要はなく、この場合、アクセスシステムを切り替える必要もない。こうした適用は、ＵＥの設定もしくはＵＥを保有するユーザの意思に基づいた設定により決定される。
【先行技術文献】
【非特許文献】
【０００９】
【非特許文献１】3GPP TS 23.261 Technical Specification Group Services and System Aspects, IP flow mobility and seamless Wireless Local Area Network(WLAN) offload, Stage 2 (Release 10)
【非特許文献２】3GPP TS23.402 General Technical Specification Group Services and System Aspects, Architecture enhancements for non-3GPP accesses
【発明の概要】
【発明が解決しようとする課題】
【００１０】
ＵＥはＩＦＯＭによりフロー毎にアクセスシステムを切り替えることができるようになった。しかしながら、ＭＯはＭＯのポリシーをＵＥに通知する手段はあるものの、ＵＥはＭＯポリシーの更新に従ってフローの通信に用いるアクセスシステムを選択することは必ずしも必要がなかった。【００１１】
したがって、モバイルオペレータはＭＯポリシーの更新を通知するだけではＬＴＥへのトラフィックの集中を必ずしも緩和することができないという問題が残る。ＭＯが通信システム内のトラヒック量を監視し、通信システム全体のデータ配送を最適化するためＭＯポリシーを生成した場合、例えばＬＴＥへのトラヒックを減らし、ＷＬＡＮへのトラヒックを増やすようＭＯポリシーを生成してＵＥに通知したとしても、ＵＥはＭＯポリシーの更新に基づいてアクセスシステムを切り替かえないことがあるためデータ配送は最適化されない。【００１２】
また、ＷＬＡＮによるアクセス可能なエリアが小さいことから、ＵＥはＷＬＡＮが利用可能なエリアに在圏することが少ない場合には、ＷＬＡＮのアクセスポイントを検索し続けて激しくバッテリー消費することがある。【００１３】
ＵＥを所有するユーザはこうしたバッテリーの消費を嫌い、確実にＷＬＡＮへ接続できるとの認識がある状況でない場合、ＷＬＡＮへの接続機能を無効化する傾向がある。【００１４】
このようにＷＬＡＮ機能を無効化したＵＥに対して、モバイルオペレータはＵＥに対してＷＬＡＮ機能の有効化を行う手段がなく、オフロードを実行させることができなかった。【００１５】
本発明は、このような事情を鑑みてなされたもので、モバイルオペレータの意向に沿ってトラヒックの分散を目的としたオフロードを行うことができる移動通信システム等を提供することである。より具体的には、第１アクセスシステム（例えば、ＬＴＥ基地局装置）に接続してデータ通信を行っているＵＥ（移動局装置）に対して、アクセスシステムもしくはコアネットワークの状況からＵＥのデータオフロードの必要性を検知し、ＵＥがオフロードを行うためのモバイルオペレータポリシーを生成する。さらに、モバイルオペレータはＡＮＤＳＦによりＵＥへモバイルオペレタポリシー（ＭＯポリシー）の更新を通知することによって、ＵＥのＷＬＡＮ機能の有効化および、ＭＯポリシーの更新に準じたオフロードを要求する。それにより、ＵＥは、ＵＥポリシーをＭＯポリシーの更新へ変更することになり、ＭＯの意向を適切に反映することができ、第１アクセスシステム（例えば、ＬＴＥ基地局装置）へのトラフィックの集中を回避することができる。
【課題を解決するための手段】
【００１６】
上述した課題に鑑み、本発明の一態様による移動通信システムは、ＰＧＷ（Packet Data Network Gateway）と、前記ＰＧＷと第１アクセスシステムを利用した通信路及び第２アクセスシステムを利用した通信路を確立し、第１アクセスシステムを利用した通信路で通信を行う第１のネットワークインターフェースと、第２アクセスシステムを利用した通信路で通信を行う第１のネットワークインターフェースとは異なる第２のネットワークインターフェースとを備えて複数のフローの通信を行うＵＥ（User Equipment）と、前記ＵＥに対してモバイルオペレータポリシーを通知するポリシー管理装置とを含む移動通信システムにおいて、ＵＥは、フロー毎にアクセスシステムを選択するために、フロー識別情報と、アクセスシステム識別情報とを対応づけたＵＥポリシーを有し、前記ＵＥポリシーに基づいて第1アクセスシステムを利用した通信路を用いてフローの通信を行っており、ポリシー管理装置は、ＵＥが通信を行うフロー識別情報と、アクセスシステム識別情報とを対応づけたモバイルオペレータポリシーの更新手段と、前記モバイルオペレータポリシーと、ネットワークインターフェースを有効化する要求とをＵＥに送信するポリシー送信手段を有し、ＵＥは、前記モバイルオペレータポリシーと、前記ネットワークインターフェースを有効化する要求とを受信するポリシー受信手段と、ＵＥポリシーにおける前記フロー識別情報で識別されるフローに対するアクセスシステム情報と、モバイルオペレータポリシーにおける前記フロー識別情報で識別されるフローに対するアクセスシステム情報とが異なることを検出する判定手段と、前記判定手段にもとづき、異なると判定した場合には、前記ネットワークインターフェースを有効化する要求に基づいてネットワークインターフェースを有効化し、第２アクセスシステムを利用した通信路を確立する通信路確立手段と、前記フロー識別情報で識別されるフローの通信を、第２アクセスシステムを利用した通信路に切り替える通信路切り替え手段とを有する。【００１７】
さらに、本発明の一態様によるＵＥは、ＰＧＷ（Packet Data Network Gateway）と、前記ＰＧＷと第１アクセスシステムを利用した通信路及び第２アクセスシステムを利用した通信路を確立し、第１アクセスシステムを利用した通信路で通信を行う第１のネットワークインターフェースと、第２アクセスシステムを利用した通信路で通信を行う第１のネットワークインターフェースとは異なる第２のネットワークインターフェースとを備えて複数のフローの通信を行うＵＥ（User Equipment）と、前記ＵＥに対してモバイルオペレータポリシーを通知するポリシー管理装置とを含む移動通信システムにおけるＵＥにおいて、フロー毎にアクセスシステムを選択するために、フロー識別情報と、アクセスシステム識別情報とを対応づけたＵＥポリシーを有し、前記ＵＥポリシーに基づいて第1アクセスシステムを利用した通信路を用いてフローの通信を行う通信手段と、フロー識別情報と、アクセスシステム識別情報とを含んだモバイルオペレータポリシーと、ネットワークインターフェースを有効化する要求とを受信するポリシー受信手段と、ＵＥポリシーにおける前記フロー識別情報で識別されるフローに対するアクセスシステム情報と、モバイルオペレータポリシーにおける前記フロー識別情報で識別されるフローに対するアクセスシステム情報とが異なることを検出する判定手段と、前記判定手段にもとづき、異なると判定した場合には、前記ネットワークインターフェースを有効化する要求に基づいてネットワークインターフェースを有効化し、第２アクセスシステムを利用した通信路を確立する通信路確立手段と、前記フロー識別情報で識別されるフローの通信を、第２アクセスシステムを利用した通信路に切り替える通信路切り替え手段とを有する。【００１８】
さらに、本発明の一態様によるＵＥは、ＡＰＮ識別子を用いて第1アクセスシステムを利用した通信路を確立する通信路確立手段と、前記ネットワークインターフェースを有効化する要求に基づいてネットワークインターフェースを有効化し、第２アクセスシステムを利用した通信路を確立する際、前記ＡＰＮ識別子を含めて前記フロー識別情報で識別されるフローの通信を、第２アクセスシステムを利用した通信路に切り替える要求をＰＧＷに送信する通信路切り替えを要求する通信路切り替え要求手段をさらに有し、第1アクセスシステムを利用した通信路確立を確立した際に取得するＩＰアドレスを継続して使用することを要求してもよい。【００１９】
さらに、本発明の一態様によるＵＥは、ＡＰＮ識別子を用いて第1アクセスシステムを利用した通信路確立を確立しており、前記ネットワークインターフェースを有効化する要求に基づいてネットワークインターフェースを有効化し、第２アクセスシステムを利用した通信路を確立する際、前記ＡＰＮ識別子とは異なるＡＰＮ識別子を含めて前記フロー識別情報で識別されるフローの通信を、第２アクセスシステムを利用した通信路に切り替える要求を行う通信路切り替え要求手段をさらに有し、第1アクセスシステムを利用した通信路を確立した際に取得するＩＰアドレスとは異なるＩＰアドレスに切り替えて通信を行うこと要求してもよい。【００２０】
さらに、本発明の一態様によるＵＥは、フロー識別情報と、アクセスシステム識別情報を含んだモバイルオペレータポリシーと、ネットワークインターフェースを有効化する要求に加え、ＡＰＮ識別子を受信し、前記ＡＰＮ識別子を用いて第二アクセスシステムを利用した通信路確立を要求してもよい。
【発明の効果】
【００２１】
本発明の一態様によれば、モバイルオペレータ（ＭＯ）は、ＷＬＡＮ機能を無効化したＵＥに対して、ＷＬＡＮ機能を有効化させるとともに、ＭＯポリシーの更新に準じてＵＥへアクセスシステムの切り替えを行なわせ、ＬＴＥへのトラフィックの集中を適切に緩和するオフロードを実現することができる。
【図面の簡単な説明】
【００２２】
【図１】本実施形態における移動通信システム１の概要を説明するための図である。
【図２】第１実施形態におけるＵＥの機能構成を説明するための図である。
【図３Ａ】第１実施形態におけるＵＥポリシーのデータ構成の一例を示した第１の図である。
【図３Ｂ】第１実施形態におけるＵＥポリシーのデータ構成の一例を示した第２の図である。
【図４】第１実施形態におけるＡＮＤＳＦの機能構成を説明するための図である。
【図５】第１実施形態におけるＭＯポリシーの機能構成を説明するための図である。
【図６Ａ】ＩＰ移動通信ネットワークの構成を説明するための第１の図である。
【図６Ｂ】ＩＰ移動通信ネットワークの構成を説明するための第２の図である。
【図７】ＵＥとＡＮＤＳＦの処理フローについて説明するための図である。
【図８】第１実施形態（第１実施例）におけるアクセスシステム情報の一例を示す図である。
【図９】第１実施形態（第１実施例）におけるＭＯポリシーの更新の一例を示す図である。
【図１０】第１実施形態（第１実施例）におけるアクセスシステムの切り替えについて説明するための図である。
【図１１】第１実施形態（第２実施例）におけるアクセスシステムの切り替えについて説明するための図である。
【図１２】第１実施形態（第３実施例）におけるアクセスシステムの切り替えについて説明するための図である。
【図１３】第１実施形態（第４実施例）におけるアクセスシステムの切り替えについて説明するための図である。
【発明を実施するための形態】
【００２３】
以下、図面を参照して本発明を実施するための最良の形態について説明する。なお、本実施形態では、一例として、本発明を適用した場合の移動通信システムの実施形態について、図を用いて詳細に説明する。
【００２４】
［１．第１実施形態］
まず、本発明を適用した第１実施形態について、図面を参照して説明する。
【００２５】
［１．１  移動通信システムの概要］
図１は、本実施形態における移動通信システム１の概略を説明するための図である。本図に示すように、移動通信システム１は、ＵＥ（移動局装置）１０と、ＡＮＤＳＦ（通信路選択のためのポリシー管理装置）２０（Access Network Discovery and Selection Function）とがＩＰ移動通信ネットワーク５を介して接続されて構成されている。
【００２６】
ＩＰ移動通信ネットワーク５は、例えば、移動通信事業者が運用する無線アクセスネットワークとコアネットワークによって構成されるネットワークでもよいし、固定通信事業者が運用するブロードバンドネットワークであってもよい。移動通信事業者が運用するＩＰ移動通信ネットワークは後で詳細に説明する。
【００２７】
また、ブロードバンドネットワークは、ＡＤＳＬ（Asymmetric Digital Subscriber Line）等により接続し、光ファイバー等のデジタル回線による高速通信を提供する、通信事業者が運用するＩＰ通信ネットワークのことである。さらに、これらに限らずＷｉＭＡＸ（Worldwide Interoperability for Microwave Access）等で無線アクセスするネットワークであっても良い。
【００２８】
ＵＥ１０は、ＬＴＥやＷＬＡＮ等のアクセスシステムを用いて接続する通信端末であり、３ＧＰＰ  ＬＴＥの通信インタフェースやＷＬＡＮの通信インタフェース等を搭載して接続することにより、ＩＰアクセスネットワークへ接続することが可能である。
【００２９】
具体的な例としては、携帯電話端末やスマートフォンであり、その他通信機能を備えたタブレット型コンピュータやパソコン、家電などである。
【００３０】
ＡＮＤＳＦ２０は、ＩＰアクセスネットワークへ有線回線等を利用して接続される。例えば、ＡＤＳＬ（Asymmetric Digital Subscriber Line）や光ファイバー等によって構築される。ただし、これに限らずＬＴＥ（Long Term Evolution）や、ＷＬＡＮ（Wireless LAN）、ＷｉＭＡＸ（Worldwide Interoperability for Microwave Access）等の無線アクセスネットワークであっても良い。
【００３１】
［１．２  装置構成］
続いて、各装置構成について図を用いて簡単に説明する。
【００３２】
[１．２．１  ＵＥの構成]
図２は、本実施形態におけるＵＥ１０の機能構成を示す。ＵＥ１０は、制御部１００に、ＬＴＥインタフェース部１１０と、ＷＬＡＮインタフェース部１２０と、記憶部１４０とがバスを介して接続されている。
【００３３】
制御部１００は、ＵＥ１０を制御するための機能部である。制御部１００は、記憶部１４０に記憶されている各種プログラムを読み出して実行することにより各種処理を実現する。
【００３４】
ＬＴＥインタフェース部１１０は、ＵＥ１０がＬＴＥ基地局に接続し、ＩＰアクセスネットワークへ接続するための機能部である。また、ＬＴＥインタフェース部１１０には、外部アンテナ１１２が接続されている。
【００３５】
ＷＬＡＮインタフェース部１２０は、ＵＥ１０がＷＬＡＮアクセスポイントに接続し、ＩＰアクセスネットワークへ接続するための機能部である。また、ＷＬＡＮインタフェース部１２０には、外部アンテナ１２２が接続されている。
【００３６】
記憶部１４０は、ＵＥ１０の各種動作に必要なプログラム、データ等を記憶する機能部である。記憶部１４０は、例えば、半導体メモリや、ＨＤＤ（Hard Disk Drive）等により構成されている。さらに、記憶部１４０には、ＵＥポリシー１４２が記憶されている。
【００３７】
図３Ａ及び図３Ｂは、ＵＥポリシー１４２の一例を示した図である。例えば、図３Ａに示すように、フロー識別子（例えば、「フロー１」）と、アクセスシステム（例えば、「ＬＴＥ」）とを対応付けて記憶し、ＵＥ１０がフロー毎に適用するアクセスシステムを管理する。
【００３８】
ここで、フローは、送信元ＩＰアドレス、送信先ＩＰアドレス、送信元ポート番号、送信先ポート番号、プロトコル番号等により識別可能なデータの流れのことである。またフローは、これに限らず、ある時刻から一定時間送受信されるデータなどや、ＱｏＳレベルで識別可能なデータ等、様々な送受信データでもよい。また、アクセスシステムとは、ＬＴＥである必要はなく、ＷＬＡＮやＷｉＭＡＸであっても良い。
【００３９】
ＵＥ１０はＵＥポリシー１４２により、フロー毎に接続するアクセスシステムを管理することができる。全てのフローを同一のアクセスシステムを介して接続する場合には、フロー毎に同一のアクセスシステムへ接続するとして管理してもよいし、フロー識別子として“全てのフロー”を識別する“ＡＬＬ”などの識別子により、アクセスシステムを管理してもよい。
【００４０】
[１．２．２  ＡＮＤＳＦの構成]
続いて、本実施形態におけるＡＮＤＳＦ２０の機能構成を図４に示す。ＡＮＤＳＦ２０では、制御部２００に、ＩＰ移動通信ネットワークインタフェース部２１０と、記憶部２４０とがバスを介して接続されている。
【００４１】
制御部２００は、ＡＮＤＳＦ２０を制御するための機能部である。制御部２００は、記憶部２４０に記憶されている各種プログラムを読み出して実行することにより各種処理を実現する。
【００４２】
ＩＰ移動通信ネットワークインタフェース部２１０は、ＡＮＤＳＦ２０がＩＰ移動通信ネットワークに接続するための機能部である。
【００４３】
記憶部２４０は、ＡＮＤＳＦ２０の各種動作に必要なプログラム、データ等を記憶する機能部である。記憶部２４０は、例えば、半導体メモリや、ＨＤＤ（Hard Disk Drive）等により構成されている。さらに、記憶部２４０には、ＭＯポリシー２４２が記憶されている。
【００４４】
図５は、ＭＯポリシー２４２の例を示した図である。例えば、図５に示すように、ＡＮＤＳＦ２０は、フロー識別子（例えば、「フロー１」）と、アクセスシステム（例えば、「ＬＴＥ」）と、を対応づけて記憶し、ＡＮＤＳＦ２０がＵＥ１０へ通知するフロー毎に適用するアクセスシステムを管理する。
【００４５】
モバイルオペレータは、ＭＯポリシー２４２によりＵＥ１０の通信するフロー毎に、フローの通信に用いられるべきアクセスシステムを対応づけて管理する。つまり、ＵＥ１０の通信するフロー単位のオフロードの要否を管理する。例えば、ＭＯポリシー２４２のフロー１と識別されるフローに対するアクセスシステムをＬＴＥからＷＬＡＮと更新することで、フロー１の通信を、ＬＴＥからＷＬＡＮへオフロードするよう制御する。
【００４６】
モバイルオペレータは、ＭＯポリシー２４２の更新について、ＩＰ移動通信ネットワーク５のトラヒック状況などによって決定することができる。例えば、モバイルオペレータは、基地局装置やゲートウェイ装置などのＩＰ移動通信ネットワーク５に含まれる装置の負荷状況に応じて、負荷分散を目的にオフロードを行うことができる。
【００４７】
また、モバイルオペレータは、動画配信といったフローのタイプによって識別されるフローや、接続先のドメインなどのフローの接続先情報によって識別されるフローの情報もとづいて、特定のフローをオフロードするなどを行うこともできる。
【００４８】
[１．２．３  ＩＰ移動通信ネットワークの構成例]
図６Ａ及び図６Ｂに示すように、移動通信システムは、ＵＥ１０と、ＩＰ移動通信ネットワーク５と、ＰＤＮ９（Packet Data Network）とから構成される。さらに、ＩＰ移動通信ネットワーク５はコアネットワーク７と各無線アクセスネットワークで構成される。この、コアネットワークの詳細な構成について図６Ａに示している。
【００４９】
なお、ＰＤＮ９は、パケットでデータのやり取り行うネットワークサービスを提供するネットワークのことであり、例えば、インターネットやＩＭＳなどである。
【００５０】
コアネットワーク７は、ＰＧＷ（アクセス制御装置）３０（Packet Data Network Gateway）と、ＳＧＷ３５(Serving Gateway)と、ＭＭＥ４０(Mobile Management Entity)と、ＨＳＳ５０(Home Subscriber Server)と、ＡＡＡ５５(Authentication, Authorization, Accounting)と、ＰＣＲＦ６０(Policy and charging rules function)と、ｅＰＤＧ６５(enhanced Packet Data Gateway)とを含んで構成される。
【００５１】
無線アクセスネットワークは、複数の異なるアクセスネットワークで構成されてよい。それぞれのアクセスネットワークはコアネットワーク７に接続されている。さらに、ＵＥ１０は無線アクセスネットワークに無線接続することができる。
【００５２】
無線アクセスネットワークには、ＬＴＥアクセスシステムで接続できるＬＴＥアクセスネットワーク（ＬＴＥ  ＡＮ８０）や、ＷＬＡＮアクセスシステムで接続できるアクセスネットワークを構成することができる。
【００５３】
さらに、ＷＬＡＮアクセスシステムで接続可能なアクセスネットワークは、ｅＰＤＧ６５をコアネットワークへの接続装置として接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７０）とが構成可能である。
【００５４】
なお、各装置はＥＰＳを利用した移動通信システムにおける従来の装置と同様に構成されるため、詳細な説明は省略するが、簡単に機能を説明すると、ＰＧＷ３０はＰＤＮ９とＳＧＷ３５とｅＰＤＧ６５と、ＷＬＡＮ  ＡＮａと、ＰＣＲＦ６０と、ＡＡＡ５５とに接続されており、ＰＤＮ９とコアネットワーク７のゲートウェイ装置としてユーザデータ配送を行う。
【００５５】
ＳＧＷ３５は、ＰＧＷ３０と、ＭＭＥ４０とＬＴＥ  ＡＮ８０とに接続されており、コアネットワーク７とＬＴＥ  ＡＮ８０とのゲートウェイ装置としてユーザデータの配送を行う。
【００５６】
ＭＭＥ４０は、ＳＧＷ３５とＬＴＥ  ＡＮ８０に接続されており、ＬＴＥ  ＡＮ８０を経由したＵＥ１０のアクセス制御を行うアクセス制御装置である。
【００５７】
ＨＳＳ５０は、ＳＧＷ３５とＡＡＡ５５とに接続されており、加入者情報の管理を行う。また、ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。ＰＣＲＦ６０は、ＰＧＷ３０と、ＷＬＡＮ  ＡＮａ７０と、ＡＡＡ５５とに接続されており、データ配送に対するＱｏＳ管理を行う。
【００５８】
ｅＰＤＧ６５は、ＰＧＷ３０と、ＷＬＡＮ  ＡＮｂ７５とに接続されており、コアネットワーク７と、ＷＬＡＮ  ＡＮｂ７５とのゲートウェイ装置としてユーザデータの配送を行う。
【００５９】
また、図６Ｂに示すように、各無線アクセスネットワークには、ＵＥ１０が実際に接続される装置（例えば、基地局装置やアクセスポイント装置）等が含まれている。接続に用いられる装置は、無線アクセスネットワークに適応した種々の装置が考えられるが、本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されてよい。
【００６０】
さらに、ＷＬＡＮ  ＡＮａ７０はＷＬＡＮ  ＡＰａ７２と、ＧＷ７４(Gateway)とが含まれて構成される。ＷＬＡＮ  ＡＰ７２はＷＬＡＮアクセスシステムでＵＥ１０が接続する無線基地局であり、ＷＬＡＮ  ＡＮ７０には１又は複数の無線基地局が含まれて構成されてよい。ＧＷ７４はコアネットワーク７とＷＬＡＮ  ＡＮａ７０のゲートウェイ装置である。また、ＷＬＡＮ  ＡＰａ７２とＧＷ７４とは、単一の装置で構成されてもよい。
【００６１】
このように、ＷＬＡＮ  ＡＮａ７０に含まれるゲートウェイは複数のコアネットワーク内装置に接続することができる。コアネットワークを運用する事業者とＷＬＡＮ  ＡＮａ７０を運用する事業者が異なる場合等では、事業者間に運用上の契約や規約等により、信頼関係が結ばれている場合にこのような構成で運用することができる。言い換えると、ＷＬＡＮ  ＡＰａ７２はコアネットワーク７を運用する事業者に対して信頼性のあるアクセスネットワークである。
【００６２】
また、ＷＬＡＮ  ＡＮｂ７５はＷＬＡＮ  ＡＰｂ７６を含んで構成される。ＷＬＡＮ  ＡＰ７６はＷＬＡＮアクセスシステムでＵＥ１０が接続する無線基地局であり、ＷＬＡＮ  ＡＮ７５には１又は複数の無線基地局が含まれて構成されてよい。
【００６３】
このように、ＷＬＡＮ  ＡＮｂ７５はコアネットワーク７に含まれる装置であるｅＰＤＧ６５をゲートウェイとしてコアネットワーク７に接続される。ｅＰＤＧ６５は安全性を確保するためのセキュリティ機能を持つ。コアネットワークを運用する事業者とＷＬＡＮ  ＡＮａ７０を運用する事業者が異なる場合等では、事業者間に運用上の契約や規約等により、信頼関係が結ばれていない場合にこのような構成で運用する。言い換えると、ＷＬＡＮ  ＡＰａはコアネットワーク７を運用する事業者に対して信頼性のないアクセスネットワークであり、コアネットワーク７に含まれるｅＰＤＧ６５において安全性を提供している。
【００６４】
なお、本明細書において、ＵＥ１０が各無線アクセスネットワークに接続されるとは、各無線アクセスネットワークに含まれる基地局装置やアクセスポイント等に接続されることをいい、送受信されるデータや信号等も、基地局装置やアクセスポイントを経由している。
【００６５】
例えば、ＬＴＥ  ＡＮ８０にＵＥ１０が接続されるとは、ＵＥ１０がｅＮＢ４５を介して接続されることをいい、ＷＬＡＮ  ＡＮａ７０に接続されるとは、ＷＬＡＮ  ＡＰａ７２及び／又はＧＷ７４を介して接続されることをいう。また、ＵＥ１０がＷＬＡＮ  ＡＮｂ７５に接続されるとは、ＵＥ１０がＷＬＡＮ  ＡＰｂ７６に接続されることを言う。
【００６６】
［１．３  実施例］
［１．３．１  第１実施例］
続いて、上述した移動通信システムにおける具体的な処理の実施例について説明する。まず、第１実施例として、ＵＥ１０がＬＴＥ  ＡＮ８０の基地局装置（ｅＮＢ４５）に接続している状態において、図３Ａ変更前のＵＥポリシーに従って、ＵＥ１０はフロー１、フロー２、フロー３の通信を、ＬＴＥを経由（ｅＮＢ４５、ＳＧＷ３５、ＰＧＷ３０を経由）した通信路を用いて通信を行っている。またこの際、ＵＥ１０はＷＬＡＮ機能を無効化している。ＷＬＡＮ機能を有効化すると、ＵＥ１０は接続可能なＷＬＡＮ基地局の有無に関わらずＷＬＡＮ基地局を検索する処理を行い、この処理によりバッテリーが消費される。または、接続可能な基地局が見つかった場合、ＷＬＡＮ基地局に接続してＷＬＡＮを経由（ＷＬＡＮ  ＡＮａ７０、ＰＧＷ３０を経由）した通信路を確立することができるが、ＵＥポリシー２４２では、ＷＬＡＮを経由して通信を行うフローが無いと管理されている状態であるため、ＷＬＡＮを経由した通信路は使われることがない。つまり、不必要な通信路が確立される。
【００６７】
こうしたことを避けるため、ＵＥ１０はＷＬＡＮ機能を無効化する。具体的には、ＷＬＡＮに対応づけられたネットワークインターフェースを停止（Ｄｉｓａｂｌｅ）する。これにより、ＷＬＡＮ基地局の検索や、ＷＬＡＮ経由の接続もしくは通信路確立などを行わずに済むことができる。ここでネットワークインターフェースの停止は、ネットワークデバイスの無効化であってもよい。
【００６８】
こうした状態において、ＡＮＤＳＦ２０からＵＥ１０へ図５で示すＭＯポリシー２４２としてフロー２において、アクセスシステムとして「ＷＬＡＮ」を送信することによって、ＭＯポリシー２４２をＵＥポリシー１４２に反映し、フロー２においてアクセスシステムＬＴＥを経由（ｅＮＢ４５、ＳＧＷ３５、ＰＧＷ３０を経由）した通信路によるデータの送受信からＷＬＡＮを経由（ＷＬＡＮ  ＡＮａ７０、ＰＧＷ３０を経由）した通信路によるデータの送受信へ切り替えるための手続きについて説明する。
【００６９】
なお、各通信路はアクセスシステムにより識別可能であり、ＵＥ１０、ＰＧＷ３０及びＡＮＤＳＦ２０は、アクセスシステムを通信路の識別情報として手続きを行うが、ＵＥポリシー２４２において、フローに対応づけて管理する情報をアクセスシステムではなく通信路の識別情報として管理してもよい。その場合にはアクセスシステムの識別情報ではなく通信路の識別情報を用いてデータ送受信の通信路の切り替えを行うこともできる。
【００７０】
以下では、モバイルオペレータはＵＥ１０がフローの通信に利用するアクセスシステムを選択し、ＭＯポリシーの更新によって通知する例を説明する。
【００７１】
なお、本実施形態では、ＬＴＥ経由（ｅＮＢ４５、ＳＧＷ３５、ＰＧＷ３０を経由）でのデータの送受信からＷＬＡＮ経由（ＷＬＡＮ  ＡＮａ７０、ＰＧＷ３０を経由）でのデータの送受信への切り替え手続きについて説明するが、ＡＮＤＳＦ２０からＵＥ１０へ図５で示すＭＯポリシー２４２としてフロー２において、アクセスシステムをＷｉＭＡＸとして送信することによって、ＬＴＥ経由（ｅＮＢ４５、ＳＧＷ３５、ＰＧＷ３０を経由）でのデータの送受信からＷｉＭＡＸ経由（例えば、ＷｉＭＡＸ、ＰＧＷを経由）でのデータの送受信へ切り替えることも、同様の手続きでおこなうことができる。
【００７２】
図７を用いて順を追って説明する。ＵＥ１０は、ＬＴＥ  ＡＮ８０に接続し、通信を開始する（Ｓ９０２）。接続においてはモバイルオペレータの運用する通信ネットワークに３ＧＰＰ規格等に基づいたアタッチ手続きを実行し、ＬＴＥ経由（ｅＮＢ４５、ＳＧＷ３５、ＰＧＷ３０を経由）の通信路を確立する。その後、ＵＥ１０は、図３Ａに示すＵＥポリシー２４２に基づいて、フロー１、フロー２、フロー３の通信を、ＬＴＥ経由（ｅＮＢ４５、ＳＧＷ３５、ＰＧＷ３０を経由）の通信路を選択してデータの送受信を行う。
【００７３】
ここで、ＵＥ１０におけるＵＥポリシー２４２は、端末出荷時にメーカまたはモバイルオペレータによって予め設定されていてもよいし、ユーザの設定により静的に設定されていてもよい。
【００７４】
続いて、ＵＥ１０は、ＡＮＤＳＦ２０を探索し、探索したＡＮＤＳＦ２０とセキュアな通信を確保する（Ｓ９０４）。ＵＥ１０がＡＮＤＳＦ２０を探索する方法は種々考えられるが、例えば、ＰＤＮに配置されたＤＮＳサーバへＵＥ１０が問い合わせることにより、ＡＮＤＳＦ２０を探索することができる。また、ＵＥ１０とＡＮＤＳＦ２０とがセキュアな通信を確保する方法は、種々考えられるが、例えば、ＩＰＳｅｃを利用しても良い。
【００７５】
次に、ＵＥ１０は、ＡＮＤＳＦ２０へアクセスシステム情報の要求を送信する（Ｓ９０６）。このとき、図８に示すように、アクセスシステム情報の要求には、ＵＥ１０の利用可能なアクセスシステムや、ＵＥ１０の位置情報を含めても良い。ここでは、ＵＥ１０の利用可能なアクセスシステムとして、アクセスシステム１の「ＬＴＥ」とアクセスシステム２の「ＷＬＡＮ」とを含める。位置情報には、位置情報１を含めるが、これに限らず、ＬＴＥ基地局装置のＣｅｌｌ  ＩＤやＴＡＩ（Tracking Area ID）、ＧＰＳ（Global Positioning System、全地球測位システム）の情報等を含めても良い。
【００７６】
ＵＥ１０からアクセスシステム情報の要求を受信したＡＮＤＳＦ２０は、ＵＥ１０へアクセスシステム情報の応答を送信する（Ｓ９０８）。ＭＯはアクセスシステム情報の応答により、ＭＯポリシーの更新をＵＥ１０に通知する。具体的には図９に示すように、ＭＯポリシーの更新には、フロー識別子「フロー２」と、アクセスシステム「ＷＬＡＮ」を含める。これにより、ＵＥ１０はモバイルオペレータのＭＯポリシーの更新を受信する。
【００７７】
さらに、アクセスシステム情報の応答には、ＵＥ１０がＷＬＡＮのアクセスネットワークに接続するために必要な情報を含めても良い。例えばＵＥ１０に接続させたいＷＬＡＮの基地局の情報や、接続に必要となるＳＳＩＤなどの識別子など、無線ＬＡＮへ接続するための情報を含めても良い。さらに、これらの情報は、ＵＥ１０から送信されるアクセスシステム情報の要求に含まれる位置情報をもとに決定してもよい。具体的な例としては、ＧＰＳなどの位置情報から接続可能なＷＬＡＮ基地局を選択し、選択された基地局情報と、その基地局に接続するためのＳＳＩＤを含めてＵＥ１０に通知してもよい。
【００７８】
ここで、ＡＮＤＳＦ２０は、ＵＥ１０がＷＬＡＮへの接続機能を有することを示す機能情報を予め保持しておく。この機能情報は、ＵＥ１０がＷＬＡＮ接続のための通信機能を有していることを示すものでもよいし、通信機能を備えたうえでモバイルオペレータによってＷＬＡＮ接続が許可されているかの認証情報を含めて管理してもよい。
【００７９】
この機能情報は、ユーザによる端末購入時などに加入者情報としてモバイルオペレータが管理し、ＡＮＤＳＦ２０に機能情報を保持してもよい。
【００８０】
もしくは、ＵＥ１０がＬＴＥ  ＡＮ８０に接続する際に行うアタッチ手続きにおいて機能情報を付加してのアタッチ要求メッセージをＭＭＥ４０送信し、モバイルオペレータはＭＭＥ４０が受信した機能情報をＡＮＤＳＦ２０において管理してもよい。
【００８１】
または、ＵＥ１０がＡＮＤＳＦ２０に対してセキュアな通信を確保する際（Ｓ０９０４），ＵＥ１０は機能情報をＡＮＤＳＦ２０に送信することにより、モバイルオペレータは機能情報を管理してもよい。
【００８２】
または、ＵＥ１０はアクセスシステム情報の要求（Ｓ９０６）に機能情報を付加してＡＮＤＳＦ２０に送信することにより、モバイルオペレータは機能情報を管理してもよい。
【００８３】
上記いずれかの方法により、ＡＮＤＳＦ２０はＵＥ１０がＷＬＡＮへの接続機能を有することを検出する。
【００８４】
ＡＮＤＳＦ２０は、ＵＥ１０がＷＬＡＮへの接続機能を有することと、ＷＬＡＮに未接続であることを検出し、ＷＬＡＮ機能の有効にすることを要求するフラグを付与してアクセスシステム情報の応答をＵＥ１０に送信する。
【００８５】
ＡＮＤＳＦ２０において、ＵＥ１０がＷＬＡＮに未接続であることを検出する方法としては、ＰＧＷ３０においてＵＥ１０がＷＬＡＮ経由（ＷＬＡＮ  ＡＮａ７０、ＰＧＷ３０を経由）の通信路が確立されていないことをもとに検出することができる。
【００８６】
もしくは、より具体的にＵＥ１０がＷＬＡＮ経由（ＷＬＡＮ  ＡＮａ７０、ＰＧＷ３０を経由）の通信路を確立する際にＰＧＷ３０において管理される、ＰＭＩＰプロトコルに基づくバインディング情報の有無や、ＧＴＰプロトコルに基づくベアラ情報をもとにＵＥ１０がＷＬＡＮ経由（ＷＬＡＮ  ＡＮａ７０、ＰＧＷ３０を経由）の通信路が確立されていないことをもとに検出することができる。
【００８７】
このように、ＡＮＤＳＦ２０はＰＧＷ３０の管理情報をＰＧＷ３０から受信することでＷＬＡＮに未接続であることを検出することができる。
【００８８】
また、ＰＧＷ３０の管理情報に基づいて検出する方法以外にも、ＭＭＥ４０やＰＣＲＦ６０においてＷＬＡＮ接続の有無を検出し、ＭＭＥ４０もしくはＰＣＲＦ６０から情報を受信することで検出してもよい。
【００８９】
なお、本実施形態では、ＵＥ１０からのアクセスシステム情報の要求をＡＮＤＳＦ２０が受信した後、ＡＮＤＳＦ２０は、アクセスシステム情報の応答としてＭＯポリシー２４２をＵＥ１０へ送信しているが、これに限らずＵＥ１０からの要求が無くても任意のタイミングで、ＭＯポリシー２４２をＵＥ１０へ送信しても良い。
【００９０】
例えば、モバイルオペレータはＩＰ移動通信ネットワーク５のトラヒック状況などに応じてＭＯポリシー２４２を更新し、その更新に応じてオフロードを要求する為にＭＯポリシー２４２をＵＥ１０へ送信する。例えば、ＬＴＥ  ＡＮ８０のトラヒック急増による負荷が大きい場合や、ｅＮＢ４５、ＳＧＷ３５、ＰＧＷ３０、ＭＭＥ４０などの各装置の負荷が大きいことを検出し、負荷分散を目的にオフロードが必要であることを判断した場合には、ＭＯポリシー２４２を更新し、フロー単位でＷＬＡＮへオフロードすることをＵＥ１０へ要求することができる。
【００９１】
また、図７で説明したＵＥ１０のＡＮＤＳＦ２０への接続例では、ＵＥ１０はＡＮＤＳＦ２０とセキュアな通信を確保し（Ｓ９０４）、アクセスシステム情報の要求をただちに送信する例を説明したが、セキュアな通信を確保したのち、一定時間間隔でアクセスシステム情報の要求を定期的に送信し、ＡＮＤＳＦ２０からアクセスシステム情報の応答を受信し、ＭＯポリシー２４２の更新が行われていないかを確認してもよい。
【００９２】
アクセスシステム情報の応答を受信したＵＥ１０は、アクセスシステム情報の応答に含められた情報に従って、アクセスシステムの選択とフローの利用するアクセスシステムの切り替えを決定する（Ｓ９１０）。ここで、アクセスシステム情報の応答には、フロー２において、アクセスシステム「ＷＬＡＮ」の情報が含められていたので、図３Ａ変更前のＵＥポリシー１４２におけるフロー２のアクセスシステムのＬＴＥを、図３Ｂ変更後のＵＥポリシーのように、ＵＥポリシー１４２におけるフロー２においてアクセスシステムをＷＬＡＮへ変更する。つまり、ＵＥ１０は、フロー２におけるアクセスシステムをＬＴＥからＷＬＡＮへ変更し、アクセスシステムの切り替えを決定する。
【００９３】
さらに、ＵＥ１０は、ＷＬＡＮ機能を有効にすることを要求するフラグが付与されていることにより、ＷＬＡＮ機能を有効化する。具体的には、ＵＥ１０は、ＷＬＡＮに対応づけられたネットワークインターフェースを起動（Ｅｎａｂｌｅ）する。これにより、ＵＥ１０は、ＷＬＡＮ基地局の検索およびＷＬＡＮ経由の接続を開始する。ここでネットワークインターフェースの起動は、ネットワークデバイスの有効化であってもよい。
【００９４】
ここで、ＵＥ１０はＵＥポリシー１４２に基づいて切り替えは行わないと決定してもよい。つまり、アクセスシステム情報の応答により受信したＭＯポリシー２４２とＵＥポリシー１４２が競合した場合、ＵＥポリシー１４２を優先し、切り替えを行わなくてもよい。
【００９５】
ここで、ＵＥ１０は、アクセスシステム情報の応答を受信したＵＥ１０は、受信したＭＯポリシーの更新とＵＥポリシー１４２とが異なることを検出し、ＭＯポリシーの更新とＵＥポリシー１４２のどちらを優先させる判定する。判定においては、ＵＥ１０のバッテリーの残情報などにより、ＷＬＡＮ機能を有効化することによる消費を避けるなどの目的で切り替えを行わないと決定してもよい。こうした決定は、ＷＬＡＮ機能を有効化やＷＬＡＮへ切り替えを行わないと決定するためのバッテリー残量の閾値をＵＥ１０が保持しておき、現在のバッテリー消費状況と比較することで決定することができる。
【００９６】
または、ユーザによってフローの通信をＬＴＥ経由で継続したいなどの要求をもとに切り替えを行わないと決定してもよい。こうした情報は、ユーザに入力を求めることでＵＥ１０において判断してもよいし、フロー２に対してはＬＴＥを経由して通信を行うなど、特定のフローに対して使用する通信路の情報を対応づけて管理しておいてもよい。
【００９７】
一方で、十分なバッテリー残量が確認できた場合や、ユーザによる切り替えを求める入力があった場合などはＭＯポリシーの更新に従い、アクセスシステムの切り替えを実行する。
【００９８】
この際、ＵＥポリシー１４２は受信したＭＯポリシーの更新をもとに更新する。
【００９９】
続いて、ＵＥ１０は、アクセスシステムの切り替えを実行する例を説明する。アクセスシステムの切り替えを実行しないと決定した場合にはアクセス切り替えの手続きは行わず、ＬＴＥ経由（ｅＮＢ４５、ＳＧＷ３５、ＰＧＷ３０を経由）の通信路を用いてフロー１、フロー２、フロー３の通信を継続する。以下、ＬＴＥアクセスシステムの切り替えの具体的な手続きについて図１０を用いて説明する。
【０１００】
なお、ＵＥ１０が接続可能なＷＬＡＮアクセスシステムのアクセスネットワークが複数ある場合には、ＵＥ１０はアクセスネットワークを選択するためのポリシーを予め保持しておき、ポリシーに基づいてアクセスネットワークを選択してもよいし、任意に選択してもよい。もしくは、モバイルオペレータが複数のＷＬＡＮのアクセスネットワークからＵＥ１０が接続するアクセスネットワークを選択し、アクセスネットワークの情報をＭＯポリシー２４２と共にアクセス情報の応答（Ｓ９０８）に含めてＵＥ１０へ通知してもよい。具体的にはＷＬＡＮ  ＡＮａ７０を選択し、ＵＥ１０へ通知してもよい。また、ＵＥ１０が接続可能なＷＬＡＮアクセスシステムのアクセスネットワークが１つの場合には、そのアクセスネットワークを選択する。
【０１０１】
以下の例では、上記いずれかの方法によりＵＥ１０がアクセスネットワークとしてＷＬＡＮ  ＡＮａ７０を選択した後に行うアクセスシステムの切り替え手続き例を説明する。
【０１０２】
まず、ＵＥ１０はＷＬＡＮに対応づけられたネットワークインターフェースの起動（Ｅｎａble）に伴い、ＷＬＡＮ  ＡＮａ７０に設置される基地局を選択し接続する。さらに、ＡＡＡ５５との間で認証手続きを実行し、モバイルオペレータによる接続の許可を得る（Ｓ１００１）。
【０１０３】
次に、ＵＥ１０はＷＬＡＮ  ＡＮａ７０へＩＰ  ｆｌｏｗ  ｍｏｂｉｌｉｔｙトリガーを送信し、フローの通信に用いるアクセスシステムの切り替えを要求することにより開始する（Ｓ１００２）。
【０１０４】
ＩＰ  ｆｌｏｗ  ｍｏｂｉｌｉｔｙトリガーには、ＵＥポリシーに基づき、切り替えを要求するフローの識別情報と、切り替え先のアクセスシステムの識別情報とを含めて送信する。ここで、ＷＬＡＮ  ＡＮａ７０へ送信するとは、ＷＬＡＮ  ＡＮａ７０に含まれる装置（例えば、ＷＬＡＮ  ＡＰａ７２又はＧＷ７４）に送信することをいう。
【０１０５】
また、トリガーにはＡＰＮ識別子を含めて送信する。ＡＰＮは接続先や接続サービスを識別するための情報であり、予めＵＥ１０おいて保持しておく。コアネットワーク７では、受信したＡＰＮにより、サービスを特定したり、ＰＧＷ３０を選択したりすることができる。ここで、ＵＥ１０はＬＴＥ  ＡＮ８０へ接続する際にＡＰＮを用いてアタッチ手続きを行い、通信路を確立しておき、ＬＴＥ  ＡＮ８０へ接続する際に用いたＡＰＮと同じＡＰＮを送信する。これにより、ＬＴＥ経由の通信路で通信していた場合と同じＩＰアドレスを引き続き継続してＷＬＡＮ経由の通信路においても使用することを要求する。これにより、アクセスシステムを切り替えて通信を継続する際、ＩＰアドレスを変更せずに通信を継続することを要求する。このＡＰＮ識別子が同一であるために、ＬＴＥ  ＡＮ８０へ接続時にＡＰＮによって選択されたＰＧＷ３０に対して接続することが可能となる。
【０１０６】
次に、ＧＷ制御セッションとＱｏＳルール変更手続きを行う（Ｓ１００３）。つまり、ＰＧＷ３０からフロー２におけるＬＴＥ経由（ＰＧＷ３０、ＳＧＷ３５、ｅＮＢ４５経由）のデータの送受信をＷＬＡＮ  ＡＮａ７０経由（ＰＧＷ３０、ＷＬＡＮ  ＡＮａ７０）でのデータの送受信へ変更する。このとき、フロー２におけるＷＬＡＮ  ＡＮａ７０経由（ＰＧＷ３０、ＷＬＡＮ  ＡＮａ７０）でのデータの送受信におけるＱｏＳを変更する。
【０１０７】
続いて、ＷＬＡＮ  ＡＮａ７０は、ＰＧＷ３０へプロキシバインディング更新を送信し、ＵＥ１０のフローの通信に用いるアクセスシステムの切り替え要求を通知する（Ｓ１００４）。このとき、ＷＬＡＮ  ＡＮａ７０は、ＰＧＷ３０へ、ルーティングポリシーとして、フロー２において、ＬＴＥ経由（ＰＧＷ３０、ＳＧＷ３５、ｅＮＢ４５経由）でのデータの送受信からＷＬＡＮ経由（ＰＧＷ３０、ＷＬＡＮ  ＡＮａ７０）でのデータの送受信へ切り替えることを通知する。
【０１０８】
プロキシバインディング更新には、切り替えを要求するフローの識別情報と、切り替え先のアクセスシステムの識別情報と、ＡＰＮとを含めて送信する。ここで、ＷＬＡＮ  ＡＮａ７０から送信されるとは、ＷＬＡＮ  ＡＮａ７０に含まれる装置（例えば、ＷＬＡＮ  ＡＰａ７２又はＧＷ７４）から送信することをいう。
【０１０９】
プロキシバインディング更新を受信したＰＧＷ３０は、ＩＰ−ＣＡＮセッションの変更手続きを開始する（Ｓ１００６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）でデータの送受信を行っているフロー２を、ＷＬＡＮ経由（ＰＧＷ３０、ＷＬＡＮ  ＡＮａ７０）でのデータの送受信へ切り替えるよう、データベースを更新する。
【０１１０】
ここで、ＰＧＷ３０は、フローの識別情報と、フローの利用する通信路を対応づけてバインディングとして管理している。フローの識別情報は、パケットの送信元ＩＰアドレス、送信先ＩＰアドレス、送信元ポート番号、送信先ポート番号、プロトコル番号等である。通信路は、アクセスシステムにより識別して管理することもできるし、各アクセスシステムを介した通信路毎に識別情報を付与して管理してもよい。これにより、フロー毎に通信路を選択してデータを送受信できるようになる。
【０１１１】
続いて、ＰＧＷ３０は、バインディングの更新及び、ＩＰＣＡＮセッションの変更、ＧＷ制御セッションとＱｏＳルール変更手続きの完了を確認し、ＷＬＡＮ  ＡＮａ７０へプロキシバインディング応答を送信してＵＥ１０の要求を許可する（Ｓ１０１０）。さらに、プロキシバインディング更新に含まれるＡＰＮにより、アクセスシステムを切り替える前に使用していたＩＰアドレスを引き続き使用することを許可する。
【０１１２】
ＷＬＡＮ  ＡＮａ７０は、プロキシバインディング応答を受信し、この時点においてＰＧＷ３０とＷＬＡＮ  ＮＡａ７０との間の通信路（ＰＭＩPトンネル）が確立される。さらに、ＷＬＡＮ  ＡＮａ７０は、ＩＰ  ｆｌｏｗ  ｍｏｂｉｌｉｔｙ  ａｃｋを送信してＵＥ１０の接続と、アクセスシステムを切り替える前に使用していたＩＰアドレスを引き続き使用することとを許可する（Ｓ１０１２）。
【０１１３】
一方、ＰＣＲＦ６０は、ＧＷ制御制御セッションとＱｏＳルール変更手続きを行う（Ｓ１０１４）。つまり、フロー２におけるＬＴＥ経由でのデータの送受信を終了する。このとき、フロー２におけるＬＴＥ経由（ＰＧＷ３０、ＳＧＷ３５、ｅＮＢ４５経由）でのデータの送受信におけるＱｏＳを変更する。
【０１１４】
以上の手続きにより、ＷＬＡＮ  ＡＮａ７０経由（ＰＧＷ３０、ＷＬＡＮ  ＡＮａ７０）に通信路が確立される。通信路が確立される（ＰＭＩPトンネル）。また、フロー情報からＵＥ１０とＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてフロー２の通信を継続する。
【０１１５】
このように、ＡＮＤＳＦ２０によるＵＥ１０へのＷＬＡＮ機能の有効化および特定のフローのオフロードの要求に基づき、ＵＥ１０はフロー２におけるＬＴＥ経由（ＰＧＷ３０、ＳＧＷ３５、ｅＮＢ４５経由）でのデータの送受信をＷＬＡＮ経由（ＷＬＡＮ  ＡＮａ７０、ＰＧＷ３０）でのデータの送受信へ切り替えることができる。
【０１１６】
言い換えると、ＭＯは、ＵＥ１０に対して実施強制的のある切り替え指示をＵＥ１０に送信し、ＭＯポリシーの更新に従った切り替えを実施させることができる。
【０１１７】
ここで、上記の例では，ＷＬＡＮ経由の通信路の確立と、フローの切り替えを同時に行う例を説明したが、ＷＬＡＮ経由の通信路の確立を先に行い、その後フローの切り替えを行ってもよい。
【０１１８】
その場合、ＵＥ１０は、ＩＰ  ｆｌｏｗ  ｍｏｂｉｌｉｔｙトリガーには切り替えるフローの情報を含まずに送信し、単に接続するためのトリガーを送信する（Ｓ１００２）。
【０１１９】
その後、続いて、ＧＷ制御セッションとＱｏＳルール変更手続き（Ｓ１００３）、ＷＬＡＮ  ＡＮａ７０は、ＰＧＷ３０へプロキシバインディング更新（Ｓ１００４）、ＩＰ−ＣＡＮセッション変更手続き（Ｓ１００６），プロキシバインディング応答（Ｓ１０１０）、ＩＰ  ｆｌｏｗ  ｍｏｂｉｌｉｔｙ  ａｃｋの送信（Ｓ１０１２）を行い、ＷＬＡＮ経由（ＷＬＡＮ  ＡＮａ７０、ＰＧＷ３０）の通信路を確立するが、各手続きにはフローの識別情報は含まれず、通信路の確立にとどめる。
【０１２０】
その後、ＵＥ１０は改めてフロー情報を含めたＩＰ  ｆｌｏｗ  ｍｏｂｉｌｉｔｙトリガーを送信し、その後、続いて、ＧＷ制御セッションとＱｏＳルール変更手続き（Ｓ１００３）、ＷＬＡＮ  ＡＮａ７０は、ＰＧＷ３０へプロキシバインディング更新（Ｓ１００４）、ＩＰ−ＣＡＮセッション変更手続き（Ｓ１００６），プロキシバインディング応答（Ｓ１０１０）、ＩＰ  ｆｌｏｗ  ｍｏｂｉｌｉｔｙ  ａｃｋの送信（Ｓ１０１２）を行い、既に確立されたＷＬＡＮ経由（ＷＬＡＮ  ＡＮａ７０、ＰＧＷ３０）の通信路へフロー２の通信を切り替える。
【０１２１】
なお、ＷＬＡＮ  ＡＮａ７０が送受信するとは、ＷＬＡＮ  ＡＮｂ７５に含まれる装置（例えば、ＷＬＡＮ  ＡＰｂ７６）が送受信することをいう。
【０１２２】
また、ＵＥ１０はフロー１およびフロー３については、アクセスシステムを変更しての通信路切り替えを行わず、ＬＴＥ経由（ＰＧＷ３０、ＳＧＷ３５、ｅＮＢ４５経由）の通信路を用いて通信を継続する。これにより、ＵＥ１０はＬＴＥ  ＡＮ８０とＷＬＡＮ  ＡＮａ７０の複数のアクセスネットワークに接続し、フロー毎に異なるアクセスネットワークを介した通信を行うことができる。
【０１２３】
［１．３．２  第２実施例］
続いて、第２実施例について説明する。第２実施例は、図７におけるＳ９１２において、図１０の手続きを利用するのではなく、図１１の手続きを利用する。図１０の手続きと図１１の手続きとの違いは、接続するアクセスネットワークが異なることにある。図１０の手続きでは、ＷＬＡＮ  ＡＮａ７０に接続していたが、図１１の手続きでは、ＷＬＡＮ  ＡＮｂ７５に接続する。なお、接続するアクセスネットワークをＷＬＡＮ  ＡＮｂ７５と選択する手段については、第１実施例で説明した手段と同様に行うことができるため、説明を省略する。
【０１２４】
つまり本実施例では、ＵＥ１０は、ＬＴＥ経由（ＰＧＷ３０、ＳＧＷ３５、ｅＮＢ４５経由）からＷＬＡＮ  ＡＮａ７０、ＰＧＷ３０を経由するＷＬＡＮではなく、ＷＬＡＮ  ＡＮｂ７５、ｅＰＤＧ６５、ＰＧＷ３０を経由するＷＬＡＮへ切り替えることとなる。
【０１２５】
具体的な手続き図７で説明したアクセスシステム切り替え実行手続き（Ｓ９１２）が第１実施例とは異なる。それ以前の手続きは第１実施例と同様に行うことができる。
【０１２６】
図１１を用いて、本実施例のアクセスシステム切り替え手続きについて説明する。まず、ＵＥ１０はＷＬＡＮに対応づけられたネットワークインターフェースの起動（Ｅｎａble）に伴い、ＷＬＡＮ  ＡＮａ７０に設置される基地局を選択し接続する。さらに、ＡＡＡ５５との間で認証手続きを実行し、モバイルオペレータによる接続の許可を得る（Ｓ１１０１）。
【０１２７】
次に、ＵＥ１０は、ＩＫＥｖ２認証およびトンネル確立要求をｅＰＤＧ６５に送信し、ＵＥ１０とｅＰＤＧ６５との間のＩＰＳｅｃトンネルを含めた、ＵＥ１０とＰＧW３０との間の通信路の確立を要求する（Ｓ１１０２）。
【０１２８】
ＩＫＥｖ２認証およびトンネル確立要求には、ＵＥポリシーに基づき、切り替えを要求するフローの識別情報と、切り替え先のアクセスシステムの識別情報とを含めて送信する。さらに、トリガーには接続先や接続サービスを識別する情報であるＡＰＮを含めて送信する。ここで、ＵＥ１０はＬＴＥ  ＡＮ８０へ接続する際に実行したアタッチ手続きに用いたＡＰＮと同じＡＰＮを送信する。これにより、ＬＴＥ経由の通信路で通信していた場合と同じＩＰアドレスを引き続き継続してＷＬＡＮ経由の通信路においても使用することを要求する。これにより、アクセスシステムを切り替えて通信を継続する際、ＩＰアドレスを変更せずに通信を継続することを要求する。
【０１２９】
ＩＫＥｖ２認証およびトンネル確立要求を受信したｅＰＤＧ６５は、ＡＡＡ５５との間でＩＫＥｖ２認証手続きを実行する（Ｓ１１０３）。認証手続きでは、ＩＰＳｅｃトンネル確立のための認証手続きを行う。さらに、ｅＰＤＧ６５はＩＫＥｖ２認証およびトンネル確立要求に含まれるＡＰＮをＡＡＡ５５に送信し、ＡＰＮに対応づけられたＰＧＷ３０の情報をｅＰＤＧ６５に送信する。これにより、ｅＰＤＧ６５はＵＥ１０が切り替え以前に通信路を確立していたＰＧＷ３０を特定することができる。
【０１３０】
ＩＫＥｖ２認証手続きによりトンネル確立が認証され、ＰＧＷ３０を特定することができたｅＰＤＧ６５は、プロキシバインディング更新をＰＧＷ３０へ送信し、ＵＥ１０のフローの通信に用いるアクセスシステムの切り替え要求を通知する（Ｓ１１０４）。プロキシバインディング更新には、切り替えを要求するフローの識別情報と、切り替え先のアクセスシステムの識別情報とＡＰＮとを含めて送信する。
【０１３１】
プロキシバインディング更新を受信したＰＧＷ３０は、ＩＰ−ＣＡＮセッションの変更手続きを開始する（Ｓ１１０６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）で通信を行っているフロー２を、ＷＬＡＮ経由（ＰＧＷ３０、ｅＰＤＧ６５、ＷＬＡＮ  ＡＮｂ７５）での通信へ切り替えるよう、データベースを更新する。ここで、ＰＧＷ３０は、フローを管理しており、パケットの送信元ＩＰアドレス、送信先ＩＰアドレス、送信元ポート番号、送信先ポート番号、プロトコル番号を確認して、適切なアクセスシステムにデータを送受信できる管理している。
【０１３２】
次に、ＰＧＷ３０はＡＡＡ５５に対してＰＧＷ情報の更新を行い、ＵＥ１０の接続するＰＧＷ３０の情報を通知する（Ｓ１１０８）。さらに、ＡＡＡ５５はＨＳＳ５０に対して受信した情報を登録する。
【０１３３】
続いて、ＰＧＷ３０は、バインディングの更新及び、ＩＰＣＡＮセッションの変更手続きの完了を確認し、ｅＰＤＧ６５へプロキシバインディング応答を送信してＵＥ１０の要求を許可する（Ｓ１１１０）。さらに、プロキシバインディング更新に含まれるＡＰＮにより、アクセスシステムを切り替える前に使用していたＩＰアドレスを引き続き使用することを許可する。
【０１３４】
ｅＰＤＧ６５は、プロキシバインディング応答を受信し、以上の手続きにおいてＵＥ１０とｅＰＤＧ６５との間でＩＰＳｅｃトンネルが確立される。さらに、ｅＰＤＧ６５とＰＧＷ３０との間にＰＭＩＰトンネルが確立される。
【０１３５】
ｅＰＤＧ６５は、ＩＰＳｅｃトンネル確立完了通知（Ｓ１１１２）をＵＥ１０に送信し、ＩＰＳｅｃトンネルの確立を含めたＷＬＡＮ経由（ＰＧＷ３０、ｅＰＤＧ６５、ＷＬＡＮ  ＡＮｂ７５）の通信路が確立されたことを通知する。さらに、アクセスシステムを切り替える前に使用していたＩＰアドレスを引き続き使用することを許可する。
【０１３６】
ＵＥ１０はＩＰＳｅｃトンネル確立完了を受信することで、ＷＬＡＮ経由（ＰＧＷ３０、ｅＰＤＧ６５、ＷＬＡＮ  ＡＮｂ７５）の通信路が確立されたことを認識し、フロー２をＬＴＥ経由（ＰＧＷ３０、ＳＧＷ３５、ｅＮＢ４５経由）からＷＬＡＮ  ＡＮｂ７５経由（ＰＧＷ３０、ｅＰＤＧ６５、ＷＬＡＮ  ＡＮｂ７５）に通信路を切り替えて通信を継続する。
【０１３７】
以上の手続きにより、ＵＥ１０とＰＧＷ３０は、ＬＴＥ経由（ＰＧＷ３０、ＳＧＷ３５、ｅＮＢ４５経由）からＷＬＡＮ  ＡＮｂ７５経由（ＰＧＷ３０、ｅＰＤＧ６５、ＷＬＡＮ  ＡＮｂ７５）に通信路を切り替えてフロー２の通信を継続する。
【０１３８】
なお、ＷＬＡＮ  ＡＮｂ７５が送受信するとは、ＵＥ１０がＷＬＡＮ  ＡＮｂ７５に含まれる装置（例えば、ＷＬＡＮ  ＡＰｂ７６）と送受信することをいう。
【０１３９】
また、ＵＥ１０はフロー１およびフロー３については、アクセスシステムを変更しての通信路切り替えを行わず、ＬＴＥ経由（ＰＧＷ３０、ＳＧＷ３５、ｅＮＢ４５経由）の通信路を用いて通信を継続する。これにより、ＵＥ１０はＬＴＥ  ＡＮ８０とＷＬＡＮ  ＡＮｂ７５の複数のアクセスネットワークに接続し、フロー毎に異なるアクセスネットワークを介した通信を行うことができる。
【０１４０】
［１．３．３  第３実施例］
続いて第３実施例について説明する。第３実施例は、図７におけるＳ９１２において、図１０の手続きや図１１の手続きを利用するのではなく、図１２の手続きを利用する。
【０１４１】
図１０の手続きや図１１の手続きと図１２の手続きとの違いは、バインディング更新がＵＥ１０から送信されることにある。図１０の手続きや図１１の手続きでは、ＷＬＡＮ  ＡＮａ７０やｅＰＤＧ６５によってバインディング更新が送信されていたが、図１２の手続きでは、ＵＥ１０がモバイルＩＰの機能を利用することによって、バインディング更新をＰＧＷ３０へ送信することが可能となる。
【０１４２】
なお、第１実施例、第２実施例と同様に、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮｂ７５を選択し、アクセスシステムの切り替え手続きを行う例である。
【０１４３】
接続するＷＬＡＮは、ＷＬＡＮ  ＡＮｂ７５（ＷＬＡＮ  ＡＮｂ７５、ｅＰＤＧ６５、ＰＧＷ３０経由）で説明を行うが、ＷＬＡＮ  ＡＮａ７０（ＷＬＡＮ  ＡＮａ７０、ＰＧＷ３０経由）の場合でも同様の手続きを利用可能である。
【０１４４】
具体的な手続きは図７で説明したアクセスシステム切り替え実行手続き（Ｓ９１２）が第１実施例、第２実施例とは異なる。それ以前の手続きは第１実施例、第２実施例と同様に行うことができる。
【０１４５】
図１２を用いて、本実施形態のアクセスシステム切り替え手続きについて説明する。まず、ＵＥ１０はＷＬＡＮに対応づけられたネットワークインターフェースの起動（Ｅｎａble）に伴い、ＷＬＡＮ  ＡＮａ７０に設置される基地局を選択し接続する。次に、ＵＥ１０は、ＵＥ１０によるリソース変更要求手続きを行う（Ｓ１２０２）。これは、ＬＴＥからＷＬＡＮ  ＡＮｂ７５（ＷＬＡＮ  ＡＮｂ７５、ｅＰＤＧ６５、ＰＧＷ３０経由）へ切り替える前に、ＷＬＡＮ  ＡＮｂ７５（ＷＬＡＮ  ＡＮｂ７５、ｅＰＤＧ６５、ＰＧＷ３０経由）へ切り替えるために必要なリソースを割り当てている。
【０１４６】
続いて、ＵＥ１０は、バインディング更新をＰＧＷ３０へ送信し、フローの通信に用いるシステムの切り替えを要求する（Ｓ１２０４）。このとき、ＵＥ１０は、バインディング更新に、ＵＥポリシーに基づき、切り替えを要求するフローの識別情報と、切り替え先のアクセスシステムの識別情報と、ＡＰＮとを含めて送信する。
【０１４７】
ここで、ＵＥ１０はＬＴＥ  ＡＮ８０へ接続する際に実行したアタッチ手続きに用いたＡＰＮと同じＡＰＮを送信する。これにより、ＬＴＥ経由の通信路で通信していた場合と同じＩＰアドレスを引き続き継続してＷＬＡＮ経由の通信路においても使用することを要求する。これにより、アクセスシステムを切り替えて通信を継続する際、ＩＰアドレスを変更せずに通信を継続することを要求する。
【０１４８】
プロキシバインディング更新を受信したＰＧＷ３０は、ＩＰ−ＣＡＮセッションの変更手続きを開始する（Ｓ１２０６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）で通信を行っているフロー２を、ＷＬＡＮ経由（ＰＧＷ３０、ＷＬＡＮ  ＡＮｂ７５）での通信へ切り替えるよう、データベースを更新する。
【０１４９】
ここで、ＰＧＷ３０は、フローの識別情報と、フローの利用する通信路を対応づけてバインディングとして管理している。フローの識別情報は、パケットの送信元ＩＰアドレス、送信先ＩＰアドレス、送信元ポート番号、送信先ポート番号、プロトコル番号等である。通信路は、アクセスシステムにより識別して管理することもできるし、各アクセスシステムを介した通信路毎に識別情報を付与して管理してもよい。これにより、フロー毎に通信路を選択してデータを送受信できるようになる。
【０１５０】
続いて、ＰＧＷ３０は、バインディングの更新及びＩＰ―ＣＡＮセッションの変更手続きの完了を確認し、ＵＥ１０へバインディング応答を送信してＵＥ１０の要求を許可する（Ｓ１２０８）。
【０１５１】
これにより、ＵＥ１０とＰＧＷ３０との間にＷＬＡＮ経由（ＷＬＡＮｂ７６、ＰＧＷ３０）の通信路であるＤＳＭＩＰｖ６トンネルが確立される。
【０１５２】
一方、ＰＣＲＦ６０は、ＧＷ制御制御セッション変更及びＱｏＳルール生成手続きを行う（Ｓ１２１０）。つまり、フロー２におけるＬＴＥ経由（ＰＧＷ３０、ＳＧＷ３５、ｅＮＢ４５経由）での通信を終了する。このとき、フロー２におけるＬＴＥ経由（ＰＧＷ３０、ＳＧＷ３５、ｅＮＢ４５経由）での通信におけるＱｏＳを変更する。
【０１５３】
以上の手続きにより、ＵＥ１０がフロー毎にＬＴＥ経由または、ＷＬＡＮ経由でデータの送受信を行っている場合に、ＡＮＤＳＦ２０からアクセスシステム情報の応答として、フロー毎に区分されたＭＯポリシー２４２（フロー（フロー２）、アクセスシステム（ＷＬＡＮ））を受け取ったＵＥ１０は、ＭＯポリシー２４２をＵＥポリシー１４２として変更することにより、フロー２において、ＬＴＥ経由（ＰＧＷ３０、ＳＧＷ３５、ｅＮＢ４５経由）の通信路によるデータの送受信から、ＷＬＡＮ経由（ＷＬＡＮｂ７５、ＰＧＷ３０）の通信路によるデータの送受信へ変更することが可能となる。
【０１５４】
なお、ＭＯポリシー２４２により通知されるアクセスネットワークは、ＷＬＡＮ  ＡＮｂ７５に限らず、モバイルオペレータのポリシーに応じてＷＬＡＮ  ＡＮａ７０でもよい。ＷＬＡＮ  ＡＮａ７０への切り替えポリシーを受信した場合には、ＵＥ１０は、フロー２において、ＬＴＥ経由（ＰＧＷ３０、ＳＧＷ３５、ｅＮＢ４５経由）でのデータの送受信から、ＷＬＡＮ  ＡＮａ７０経由（ＷＬＡＮ  ＡＮａ、ＰＧＷ３０）でのデータの送受信へ変更することが同様の手順により可能となる。具体的には、ＵＥ１０はアクセスネットワークＷＬＡＮ  ＡＮａ７５を経由してバインディング更新をＰＧＷ３０に送信し、アクセスシステムを切り替える。
【０１５５】
以上の手続きにより、ＵＥ１０とＰＧＷ３０は、ＬＴＥ経由（ＰＧＷ３０、ＳＧＷ３５、ｅＮＢ４５経由）からＷＬＡＮ  ＡＮｂ７５経由（ＰＧＷ３０、ｅＰＤＧ６５、ＷＬＡＮ  ＡＮｂ７５）に通信路を切り替えてフロー２の通信を継続する。
【０１５６】
また、ＵＥ１０はフロー１およびフロー３については、アクセスシステムを変更しての通信路切り替えを行わず、ＬＴＥ経由（ＰＧＷ３０、ＳＧＷ３５、ｅＮＢ４５経由）の通信路を用いて通信を継続する。これにより、ＵＥ１０はＬＴＥ  ＡＮ８０とＷＬＡＮ  ＡＮｂ７５の複数のアクセスネットワークに接続し、フロー毎に異なるアクセスネットワークを介した通信を行うことができる。
【０１５７】
以上、接続するＷＬＡＮは、ＷＬＡＮ  ＡＮｂ７５（ＷＬＡＮ  ＡＮｂ７５、ｅＰＤＧ６５、ＰＧＷ３０経由）で説明を行ったが、ＷＬＡＮ  ＡＮａ７０（ＷＬＡＮ  ＡＮａ７０、ＰＧＷ３０経由）の場合でも同様の手続きを利用可能である。
【０１５８】
［１．３．４  第４実施例］
続いて第４実施例について説明する。第１実施例、第２実施例、第３実施例では、ＵＥ１０はアクセスシステムの切り替え実行（Ｓ９１２）に際し、ＬＴＥ  ＡＮ８０へ接続する際に実行したアタッチ手続きに用いたＡＰＮと同じＡＰＮを送信し、これにより、ＬＴＥ経由の通信路で通信していた場合と同じＩＰアドレスを引き続き継続してＷＬＡＮ経由の通信路においても使用することを要求していた。これにより、アクセスシステムを切り替えて通信を継続する際、ＩＰアドレスを変更せずに通信を継続することが実現できた。
【０１５９】
さらに、ＬＴＥ  ＡＮ８０へ接続する際に実行したアタッチ手続きに用いたＡＰＮからＰＧＷ３０を選択することにより、切り替え以前に接続していたＰＧＷ３０を介した通信が継続できた。
【０１６０】
これに対し、本実施例ではＬＴＥ  ＡＮ８０へ接続する際に実行したアタッチ手続きに用いたＡＰＮとは異なるＡＰＮを利用して接続を行う。
【０１６１】
これにより、アクセスシステムの切り替えに伴い、切り替え以前に接続していたＰＧＷ３０を介した通信ではなく、アクセスネットワークから直接インターネットなどのＰＤＮ９へ通信路を確立して通信を行う。
【０１６２】
つまり、第１実施例、第２実施例、第３実施例では、ＬＴＥのアクセスネットワークからＷＬＡＮのアクセスネットワークへアクセスネットワークのオフロードを実現していたのに対し、本実施例では、アクセスネットワークのオフロードに加え、ＰＧＷ３０を介すことなくアクセスネットワークから直接ＰＤＮ９へ通信路を確立することによるコアネットワークのオフロードも実現する。
【０１６３】
具体的な手続きは図７で説明したアクセスシステム切り替え実行手続き（Ｓ９１２）が実施例１とは異なる。それ以前の手続きは実施例１と同様に行うことができる。
【０１６４】
図１３を用いて、本実施形態のアクセスシステム切り替え手続きについて説明する。接続するＷＬＡＮは、ＷＬＡＮ  ＡＮａ７０で説明を行うが、ＷＬＡＮ  ＡＮｂ７５の場合でも同様の手続きを利用可能である。
【０１６５】
まず、ＵＥ１０はＷＬＡＮに対応づけられたネットワークインターフェースの起動（Ｅｎａble）に伴い、ＷＬＡＮ  ＡＮａ７０に設置される基地局を選択し接続する。さらに、ＵＥ１０はＷＬＡＮ  ＡＮａ７０への接続に際しＡＡＡ５５との間で認証手続きを行う（Ｓ１３０１）。ここで、ＵＥ１０はＬＴＥ  ＡＮ８０へ接続する際に実行したアタッチ手続きに用いたＡＰＮとは異なるＡＰＮをＡＡＡ５５に通知して、接続に対する認証を要求する。
【０１６６】
接続に用いるＡＰＮは、アクセスネットワークのオフロードに加え、コアネットワークをオフロードすることを示すＡＰＮであり、ＵＥ１０が予めＡＰＮの情報を保持していても良い。
【０１６７】
もしくは、ＡＰＮの情報はモバイルオペレータが管理しておき、図７で説明したアクセスシステム情報の応答（Ｓ９０８）に付与することでＡＮＤＳＦ２０がＵＥ１０に通知しても良い。この場合には、モバイルオペレータはＡＮＤＳＦ２０からＵＥ１０へＡＰＮを通知することから、モバイルオペレータがアクセスネットワークのオフロードに加え、コアネットワークをオフロードすることをＵＥ１０に対して要求することになる。
【０１６８】
ＡＡＡ５５とＵＥ１０との間の認証手続きが完了し、接続が許可されると、ＵＥ１０はＷＬＡＮ  ＡＮａ７０への接続時にアクセスネットワークからＩＰアドレスを受信し、そのＩＰアドレスを用いて通信を行う。
【０１６９】
より具体的には、ＭＯポリシーの更新で要求されたフロー２の通信を、ＬＴＥ経由（ＰＧＷ３０、ＳＧＷ３５、ｅＮＢ４５経由）でのデータの送受信から、ＷＬＡＮ  ＡＮａ７０から直接ＰＤＮへ接続するデータ送受信に切り替える。この際、ＵＥ１０が用いるＩＰアドレスはＬＴＥ経由（ＰＧＷ３０、ＳＧＷ３５、ｅＮＢ４５経由）でのデータの送受信に用いていたＩＰアドレスから、ＷＬＡＮ  ＡＮａ７０への接続時にアクセスネットワークからＩＰアドレスを受信したＩＰアドレスに変更して通信を行う。
【０１７０】
これにより、ＵＥ１０はアクセスネットワークのオフロードに加えて、コアネットワークのオフロードも実現する。
【０１７１】
また、ＵＥ１０はフロー１およびフロー３については、アクセスシステムを変更しての通信路切り替えを行わず、ＬＴＥ経由（ＰＧＷ３０、ＳＧＷ３５、ｅＮＢ４５経由）の通信路を用いて通信を継続する。これにより、ＵＥ１０はＬＴＥ  ＡＮ８０とＷＬＡＮ  ＡＮａ７０の複数のアクセスネットワークに接続し、フロー毎に異なるアクセスネットワークを介した通信を行うことができる。
【０１７２】
［１．３．５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１７３】
例えば、各実施形態において説明したプロキシバインディング更新、応答により確立されるコアネットワーク内の通信路は、ＧＴＰプロトコルを基に確立されたＧＴＰトンネルを通信路としても良い。その場合には、通信路を確立するプロキシバインディング更新、応答メッセージは、ＧＴＰトンネルを確立するための要求メッセージ、応答メッセージに置き換わる。
【０１７４】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１７５】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１７６】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１７７】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【０１７８】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【０１７９】
また、上述した実施形態においては、ＡＮＤＳＦ２０はモバイルオペレータのポリシーを管理と、モバイルオペレータのポリシーの更新をＵＥ１０への通知する独立した装置として説明したが、配置についてコアネットワーク７の外に設置されてもよいし、コアネットワーク７の中に設置されてもよい。さらに、ＰＣＲＦ６０もしくはＭＭＥ４０など、コアネットワーク７内の装置と同一装置として配置されてもよい。
【産業上の利用可能性】
【０１８０】
ＷＬＡＮ機能を無効化したＵＥに対して、ＷＬＡＮ機能を有効化させるとともに、ＭＯポリシーの更新に準じてＵＥへアクセスシステムの切り替えを行なわせ、ＬＴＥへのトラフィックの集中を適切に緩和するオフロードを実現する移動通信システムなどに利用することができる。
【符号の説明】
【０１８１】
１  移動通信システム
５  ＩＰ移動通信ネットワーク
１０  ＵＥ
２０  ＡＮＤＳＦ
３０  ＰＧＷ
３５  ＳＧＷ
４０  ＭＭＥ
４５  ｅＮＢ
５０  ＨＳＳ
５５  ＡＡＡ
６０  ＰＣＲＦ
６５  ｅＰＤＧ
７０  ＷＬＡＮ  ＡＮａ
７２  ＷＬＡＮ  ＡＰａ
７４  ＧＷ
７５  ＷＬＡＮ  ＡＮｂ
７６  ＷＬＡＮ  ＡＰｂ
８０  ＬＴＥ  ＡＮ
９  ＰＤＮ
【図１】
2014112638.tif 000003
【図２】
2014112638.tif 000004
【図３Ａ】
2014112638.tif 000005
【図３Ｂ】
2014112638.tif 000006
【図４】
2014112638.tif 000007
【図５】
2014112638.tif 000008
【図６Ａ】
2014112638.tif 000009
【図６Ｂ】
2014112638.tif 000010
【図７】
2014112638.tif 000011
【図８】
2014112638.tif 000012
【図９】
2014112638.tif 000013
【図１０】
2014112638.tif 000014
【図１１】
2014112638.tif 000015
【図１２】
2014112638.tif 000016
【図１３】
2014112638.tif 000017
【国際調査報告】
2014112638.tif 000018
2014112638.tif 000019